(57)【要約】【課題】ＰＴＴ通話中に、携帯電話機がＰＴＴ通話を継続できなくなった場合に、そのことをＰＴＴ通話を継続中の他の携帯電話機に通知することが可能なＰＴＴ通話システムを提供する。【解決手段】ＰＴＴ通話機能を備え、表示部１０４を有する携帯電話機１〜８と、前記各携帯電話機が参加可能なＰＴＴ通話の仲介をする仲介サーバ４０とから構成されるＰＴＴ通話システム５０であって、仲介サーバ４０は、前記ＰＴＴ通話開始後、前記各携帯電話機の前記ＰＴＴ通話への参加状態の変更を監視し、前記各携帯電話機の何れかにおいて、前記参加状態の変更があった場合に、前記ＰＴＴ通話に参加中の前記各携帯電話機に、前記変更があったことの通知をし、前記ＰＴＴ通話に参加中の前記各携帯電話機は、前記通知がされた場合に、前記通知に基づいて表示部１０４に前記変更があったことを示す情報を表示させる。【選択図】図１
2006222876.tif 000002
【特許請求の範囲】
【請求項１】
プッシュトゥトーク（ＰＴＴ）通話機能を備え、表示部を有する複数の携帯電話機と、前記各携帯電話機が参加可能なＰＴＴ通話の仲介をする仲介サーバとから構成されるＰＴＴ通話システムであって、
前記仲介サーバは、
前記ＰＴＴ通話開始後、前記各携帯電話機の前記ＰＴＴ通話への参加状態の変更を監視する監視手段と、
前記各携帯電話機の何れかにおいて、前記参加状態の変更があった場合に、前記ＰＴＴ通話に参加中の前記各携帯電話機に対し、前記変更があったことの通知をする変更通知手段と
を有し、
前記ＰＴＴ通話に参加中の前記各携帯電話機は、前記通知がされた場合に、前記通知に基づいて前記表示部に前記変更があったことを示す情報を表示させる
ことを特徴とするＰＴＴ通話システム。
【請求項２】
前記監視手段は、前記ＰＴＴ通話に参加中の前記各携帯電話機の基地局との接続状況を監視して、基地局と非接続状態にある前記携帯電話機の検出を試みる非接続検出手段を有し、
前記変更通知手段は、前記検出がされた場合に、その旨の通知を前記ＰＴＴ通話に参加中の前記携帯電話機にする
ことを特徴とする請求項１記載のＰＴＴ通話システム。
【請求項３】
前記各携帯電話機は、ユーザ指示に応じて、前記仲介サーバに前記ＰＴＴ通話への参加中断の通知をする参加中断通知を送信する中断通知送信手段を有し、
前記監視手段は、前記参加中断通知の受信を監視して、前記参加中断通知の検出を試みる中断検出手段を有し、
前記変更通知手段は、前記検出がされた場合に、前記ＰＴＴ通話に参加中の前記各携帯電話機に前記参加中断があったことの通知をする
ことを特徴とする請求項１又は２記載のＰＴＴ通話システム。
【請求項４】
前記各携帯電話機は、ユーザ指示に応じて、前記ＰＴＴ通話への再参加を要求する再参加要求を送信する再参加要求送信手段を有し、
前記中断検出手段は、前記再参加要求を受信することにより、前記再参加の検出をし、
前記変更通知手段は、前記検出がされた場合に、前記再参加があったことの通知を前記ＰＴＴ通話に参加中の前記各携帯電話機にする
ことを特徴とする請求項３記載のＰＴＴ通話システム。
【請求項５】
前記仲介サーバは、何れかの前記携帯電話機からの通話開始要求に応じて前記ＰＴＴ通話を開始させ、
前記監視手段は、
前記ＰＴＴ通話開始時における前記各携帯電話機の前記ＰＴＴ通話への参加状態を検知する検知手段と、
不参加状態の前記携帯電話機を検知した場合に、当該前記携帯電話機に前記ＰＴＴ通話への参加を依頼する参加依頼通知を所定期間、繰り返し送信する依頼通知送信手段と
を有し、
前記各携帯電話機は、前記参加依頼通知が受信された場合に、応答通知を前記仲介サーバに送信する応答通知送信手段を有し、
前記監視手段は、前記応答通知の受信を監視して、前記応答通知の検出を試みる途中参加検出手段を有し、
前記変更通知手段は、前記検出がされた場合に、前記ＰＴＴ通話に参加中の前記携帯電話機に、不参加状態の前記携帯電話機の前記ＰＴＴ通話への途中参加があったことの通知をする
ことを特徴とする請求項１〜４の何れかに記載のＰＴＴ通話システム。
【請求項６】
前記仲介サーバは、何れかの前記携帯電話機からの通話開始要求に応じて前記ＰＴＴ通話を開始させ、
前記監視手段は、
前記ＰＴＴ通話開始時における前記各携帯電話機の前記ＰＴＴ通話への参加状態を検知する検知手段と、
不参加状態の前記携帯電話機を検知した場合に、当該前記携帯電話機のアドレスに前記ＰＴＴ通話への参加を依頼する参加依頼通知をメールで送信する依頼通知送信手段と
を有し、
前記各携帯電話機は、前記参加依頼通知が受信された場合に、応答通知を前記仲介サーバに送信する応答通知送信手段を有し、
前記監視手段は、前記応答通知の受信を監視して、前記応答通知の検出を試みる途中参加検出手段を有し、
前記変更通知手段は、前記検出がされた場合に、前記ＰＴＴ通話に参加中の前記携帯電話機に、不参加状態の前記携帯電話機の前記ＰＴＴ通話への途中参加があったことの通知をする
ことを特徴とする請求項１〜４の何れかに記載のＰＴＴ通話システム。
【請求項７】
前記通話開始要求した前記携帯電話機は、前記参加依頼通知を送信するか否かについての選択指示を前記仲介サーバに送信し、
前記依頼通知送信手段は、受信した選択指示が前記参加依頼通知を送信することを指示している場合に限り、前記参加依頼通知を送信する
ことを特徴とする請求項５又は６記載のＰＴＴ通話システム。
【請求項８】
前記変更通知手段は、
前記各携帯電話機について、前記参加状態を示す複数の状態画像を記憶している画像記憶手段と、
前記参加状態の変更があった場合に、変更があった前記携帯電話機について、変更後の前記参加状態を示す状態画像を前記画像記憶手段から読出し、前記ＰＴＴ通話に参加中の前記各携帯電話機に送信する画像送信手段と
を有し、
前記各携帯電話機は、前記状態画像を受信した場合に、前記表示部に表示させる
ことを特徴とする請求項１〜７の何れかに記載のＰＴＴ通話システム。  
【請求項９】
プッシュトゥトーク（ＰＴＴ）通話機能を備え、表示部を有する複数の携帯電話機が参加可能なＰＴＴ通話の仲介をする仲介サーバであって、
前記ＰＴＴ通話開始後、前記各携帯電話機の前記ＰＴＴ通話への参加状態の変更を監視する監視手段と、
前記各携帯電話機の何れかにおいて、前記参加状態の変更があった場合に、前記ＰＴＴ通話に参加中の前記携帯電話機に対し、前記変更があったことの通知をする変更通知手段と
を備えることを特徴とする仲介サーバ。
【請求項１０】
前記監視手段は、前記ＰＴＴ通話に参加中の前記各携帯電話機の基地局との接続状況を監視して、基地局と非接続状態にある前記携帯電話機の検出を試みる非接続検出手段を有し、
前記変更通知手段は、前記検出がされた場合に、その旨の通知を前記ＰＴＴ通話に参加中の前記各携帯電話機にする
ことを特徴とする請求項９記載の仲介サーバ。
【請求項１１】
前記監視手段は、前記ＰＴＴ通話に参加中の前記各携帯電話機の何れかから、送信される前記ＰＴＴ通話への参加中断を通知する参加中断通知の受信を監視して、前記参加中断の検出を試みる中断検出手段を有し、
前記変更通知手段は、前記検出がされた場合に、前記ＰＴＴ通話に参加中の前記各携帯電話機に前記参加中断があったことの通知をする
ことを特徴とする請求項９又は１０記載の仲介サーバ。
【請求項１２】
前記中断検出手段は、前記参加中断通知をした前記携帯電話機から送信される、前記ＰＴＴ通話への再参加を要求する再参加通知の受信を監視して、前記再参加通知の検出を試み、
前記変更通知手段は、前記検出がされた場合に、前記ＰＴＴ通話に参加中の前記各携帯電話機に前記再参加があったことの通知をする
ことを特徴とする請求項１１記載の仲介サーバ。
【請求項１３】
前記仲介サーバは、何れかの前記携帯電話機からの通話開始要求に応じて前記ＰＴＴ通話を開始させ、
前記監視手段は、
前記ＰＴＴ通話開始時における前記各携帯電話機の前記ＰＴＴ通話への参加状態を検知する検知手段と、
不参加状態の前記携帯電話機を検知した場合に、当該前記携帯電話機に前記ＰＴＴ通話への参加を依頼する参加依頼通知を所定期間、繰り返し送信する依頼通知送信手段と、
不参加状態の前記携帯電話機によって、前記参加依頼通知が受信された場合に、当該前記携帯電話機から送信される応答通知の受信を監視して、前記応答通知の検出を試みる途中参加検出手段と
を有し、
前記変更通知手段は、前記検出がされた場合に、前記ＰＴＴ通話に参加中の前記携帯電話機に、不参加状態の前記携帯電話機の前記ＰＴＴ通話への途中参加があったことの通知をする
ことを特徴とする請求項９〜１２の何れかに記載の仲介サーバ。
【請求項１４】
前記仲介サーバは、何れかの前記携帯電話機からの通話開始要求に応じて前記ＰＴＴ通話を開始させ、
前記監視手段は、
前記ＰＴＴ通話開始時における前記各携帯電話機の前記ＰＴＴ通話への参加状態を検知する検知手段と、
不参加状態の前記携帯電話機を検知した場合に、当該前記携帯電話機のアドレスに前記ＰＴＴ通話への参加を依頼する参加依頼通知をメールで送信する依頼通知送信手段と、
不参加状態の前記携帯電話機によって、前記参加依頼通知が受信された場合に、当該前記携帯電話機から送信される応答通知の受信を監視して、前記応答通知の検出を試みる途中参加検出手段と
を有し、
前記変更通知手段は、前記検出がされた場合に、前記ＰＴＴ通話に参加中の前記携帯電話機に、不参加状態の前記携帯電話機の前記ＰＴＴ通話への途中参加があったことの通知をする
ことを特徴とする請求項９〜１２の何れかに記載の仲介サーバ。
【請求項１５】
前記変更通知手段は、
前記各携帯電話機について、参加状態を示す複数の状態画像を記憶している画像記憶手段と、
前記参加状態の変更があった場合に、変更があった前記携帯電話機について、変更後の前記参加状態を示す状態画像を前記画像記憶手段から読出し、前記ＰＴＴ通話に参加中の前記携帯電話機に送信する画像送信手段と
を有することを特徴とする請求項９〜１４の何れかに記載の仲介サーバ。
【発明の詳細な説明】
【技術分野】
【０００１】
本発明は、プッシュトゥトーク（ＰＴＴ）通話システムに関し、特にＰＴＴ通話時おいて、通話相手を表示部に表示させる技術に関する。
【背景技術】
【０００２】
プッシュトゥトーク通話（以下、「ＰＴＴ通話」という。）は、インターネット等のネットワークを利用して複数の携帯電話機間で行われる通話であり、ＰＴＴ通話においては、ＰＴＴ通話を行う各携帯電話機が、上記ネットワークに接続された、ＰＴＴ通話を仲介するサーバにログインし、ログインしたサーバを介して音声の送受信が各携帯電話機間で行われ、各携帯電話機の表示部には、ＰＴＴ通話の相手を示すアイコン等が表示される（特許文献１参照）。
【０００３】
これにより、ＰＴＴ通話のユーザは、携帯電話機の表示部を介して通話に参加している相手を認識しながら、同時に複数の相手と通話することができる。
【特許文献１】特表2002-536928
【発明の開示】
【発明が解決しようとする課題】
【０００４】
しかしながら、ＰＴＴ通話中に、一部の通話相手が通話を継続できなくなった場合、例えば、通話相手が通話を途中で終了したり、通話相手の携帯電話機の通信状態が変化して圏外状態になったような場合、上記従来技術においては、そのことを他の通話参加者が知ることができず、通話相手が通話を継続しているものと思って、伝言を伝えても実際には、その通話相手には、伝言が伝わっていないというような不具合が生じてしまう。
【０００５】
本発明は、上記の問題点に鑑み、ＰＴＴ通話中に、通話に参加している通話相手の携帯電話機がＰＴＴ通話を継続できなくなった場合に、そのことを、ＰＴＴ通話を継続中の他の通話参加者の携帯電話機に通知することが可能なＰＴＴ通話システムを提供することを目的とする。
【課題を解決するための手段】
【０００６】
上記課題を解決するために、本発明は、プッシュトゥトーク（ＰＴＴ）通話機能を備え、表示部を有する複数の携帯電話機と、前記各携帯電話機が参加可能なＰＴＴ通話の仲介をする仲介サーバとから構成されるＰＴＴ通話システムであって、前記仲介サーバは、前記ＰＴＴ通話開始後、前記各携帯電話機の前記ＰＴＴ通話への参加状態の変更を監視する監視手段と、前記各携帯電話機の何れかにおいて、前記参加状態の変更があった場合に、前記ＰＴＴ通話に参加中の前記各携帯電話機に対し、前記変更があったことの通知をする変更通知手段とを有し、前記ＰＴＴ通話に参加中の前記各携帯電話機は、前記通知がされた場合に、前記通知に基づいて前記表示部に前記変更があったことを示す情報を表示させることを特徴とする構成を有する（以下、「構成１」という。）。
【０００７】
又、本発明は、プッシュトゥトーク（ＰＴＴ）通話機能を備え、表示部を有する複数の携帯電話機が参加可能なＰＴＴ通話の仲介をする仲介サーバであって、前記ＰＴＴ通話開始後、前記各携帯電話機の前記ＰＴＴ通話への参加状態の変更を監視する監視手段と、前記各携帯電話機の何れかにおいて、前記参加状態の変更があった場合に、前記ＰＴＴ通話に参加中の前記携帯電話機に対し、前記変更があったことの通知をする変更通知手段とを備える構成（以下、「構成２」という。）としてもよい。
【発明の効果】
【０００８】
本発明は、上記構成を備えることにより、ＰＴＴ通話中に通話相手の携帯電話機が通話不参加状態になった場合においても、そのことを容易に知ることができるので、ＰＴＴ通話中に伝えたと思った伝言が実際には相手に伝わっていなかったことに、後になって気づくという不具合が生ずるのを防止することができる。
ここで、構成１及び構成２において、前記監視手段は、前記ＰＴＴ通話に参加中の前記各携帯電話機の基地局との接続状況を監視して、基地局と非接続状態にある前記携帯電話機の検出を試みる非接続検出手段を有し、前記変更通知手段は、前記検出がされた場合に、その旨の通知を前記ＰＴＴ通話に参加中の前記携帯電話機にすることとしてもよい。
【０００９】
これにより、ＰＴＴ通話中に通話相手の携帯電話機が何らかの原因で非接続状態になった場合には、他の通話参加者は、そのことをすぐ知ることができるので、通信状況に合わせて適切な対処をすることができる。例えば、その通話相手が電車で移動中であるような場合には、しばらく通話を中断し、通話相手がＰＴＴ通話に復帰するのを待つことができる。
【００１０】
ここで、構成１において、前記各携帯電話機は、ユーザ指示に応じて、前記仲介サーバに前記ＰＴＴ通話への参加中断の通知をする参加中断通知を送信する中断通知送信手段を有し、前記監視手段は、前記参加中断通知の受信を監視して、前記参加中断通知の検出を試みる中断検出手段を有し、前記変更通知手段は、前記検出がされた場合に、前記ＰＴＴ通話に参加中の前記各携帯電話機に前記参加中断があったことの通知をすることとしてもよい（以下、「構成３」という。）。
【００１１】
又、構成２において、前記監視手段は、前記ＰＴＴ通話に参加中の前記各携帯電話機の何れかから、送信される前記ＰＴＴ通話への参加中断を通知する参加中断通知の受信を監視して、前記参加中断の検出を試みる中断検出手段を有し、前記変更通知手段は、前記検出がされた場合に、前記ＰＴＴ通話に参加中の前記各携帯電話機に前記参加中断があったことの通知をすることとしてもよい（以下、「構成４」という。）。
【００１２】
これにより、ＰＴＴ通話中に通話参加者の誰かが自らの意志で通話を中断した場合には、他の通話参加者は、そのことをすぐ知ることができるので、中断した通話参加者に伝わらなかった通話の内容の範囲を容易に特定し、後で当該通話参加者に通話の未通知部分のみを伝えることができる。
ここで、構成３において、前記各携帯電話機は、ユーザ指示に応じて、前記ＰＴＴ通話への再参加を要求する再参加要求を送信する再参加要求送信手段を有し、前記中断検出手段は、前記再参加要求を受信することにより、前記再参加の検出をし、前記変更通知手段は、前記検出がされた場合に、前記再参加があったことの通知を前記ＰＴＴ通話に参加中の前記各携帯電話機にすることとしてもよい、
又、構成４において、前記中断検出手段は、前記参加中断通知をした前記携帯電話機から送信される、前記ＰＴＴ通話への再参加を要求する再参加通知の受信を監視して、前記再参加通知の検出を試み、前記変更通知手段は、前記検出がされた場合に、前記ＰＴＴ通話に参加中の前記各携帯電話機に前記再参加があったことの通知をすることとしてもよい。
【００１３】
これにより、ＰＴＴ通話への参加を途中でやめた通話相手が通話に再参加したことをすぐに知ることができるので、他の通話参加者は、再参加した通話参加者との会話を容易に再開することができる。
ここで、構成１において、前記仲介サーバは、何れかの前記携帯電話機からの通話開始要求に応じて前記ＰＴＴ通話を開始させ、前記監視手段は、前記ＰＴＴ通話開始時における前記各携帯電話機の前記ＰＴＴ通話への参加状態を検知する検知手段と、不参加状態の前記携帯電話機を検知した場合に、当該前記携帯電話機に前記ＰＴＴ通話への参加を依頼する参加依頼通知を所定期間、繰り返し送信する依頼通知送信手段とを有し、前記各携帯電話機は、前記参加依頼通知が受信された場合に、応答通知を前記仲介サーバに送信する応答通知送信手段を有し、前記監視手段は、前記応答通知の受信を監視して、前記応答通知の検出を試みる途中参加検出手段を有し、前記変更通知手段は、前記検出がされた場合に、前記ＰＴＴ通話に参加中の前記携帯電話機に、不参加状態の前記携帯電話機の前記ＰＴＴ通話への途中参加があったことの通知をすることとしてもよい（以下、「構成５」という。）。
【００１４】
又、構成１において、前記仲介サーバは、何れかの前記携帯電話機からの通話開始要求に応じて前記ＰＴＴ通話を開始させ、前記監視手段は、前記ＰＴＴ通話開始時における前記各携帯電話機の前記ＰＴＴ通話への参加状態を検知する検知手段と、
不参加状態の前記携帯電話機を検知した場合に、当該前記携帯電話機のアドレスに前記ＰＴＴ通話への参加を依頼する参加依頼通知をメールで送信する依頼通知送信手段と
を有し、前記各携帯電話機は、前記参加依頼通知が受信された場合に、応答通知を前記仲介サーバに送信する応答通知送信手段を有し、前記監視手段は、前記応答通知の受信を監視して、前記応答通知の検出を試みる途中参加検出手段を有し、前記変更通知手段は、前記検出がされた場合に、前記ＰＴＴ通話に参加中の前記携帯電話機に、不参加状態の前記携帯電話機の前記ＰＴＴ通話への途中参加があったことの通知をすることとしてもよい（以下、「構成６」という。
【００１５】
又、構成２において、前記仲介サーバは、何れかの前記携帯電話機からの通話開始要求に応じて前記ＰＴＴ通話を開始させ、前記監視手段は、前記ＰＴＴ通話開始時における前記各携帯電話機の前記ＰＴＴ通話への参加状態を検知する検知手段と、不参加状態の前記携帯電話機を検知した場合に、当該前記携帯電話機に前記ＰＴＴ通話への参加を依頼する参加依頼通知を所定期間、繰り返し送信する依頼通知送信手段と、不参加状態の前記携帯電話機によって、前記参加依頼通知が受信された場合に、当該前記携帯電話機から送信される応答通知の受信を監視して、前記応答通知の検出を試みる途中参加検出手段とを有し、前記変更通知手段は、前記検出がされた場合に、前記ＰＴＴ通話に参加中の前記携帯電話機に、不参加状態の前記携帯電話機の前記ＰＴＴ通話への途中参加があったことの通知をすることとしてもよい。
【００１６】
又、構成２において、前記仲介サーバは、何れかの前記携帯電話機からの通話開始要求に応じて前記ＰＴＴ通話を開始させ、前記監視手段は、前記ＰＴＴ通話開始時における前記各携帯電話機の前記ＰＴＴ通話への参加状態を検知する検知手段と、不参加状態の前記携帯電話機を検知した場合に、当該前記携帯電話機のアドレスに前記ＰＴＴ通話への参加を依頼する参加依頼通知をメールで送信する依頼通知送信手段と、不参加状態の前記携帯電話機によって、前記参加依頼通知が受信された場合に、当該前記携帯電話機から送信される応答通知の受信を監視して、前記応答通知の検出を試みる途中参加検出手段とを有し、前記変更通知手段は、前記検出がされた場合に、前記ＰＴＴ通話に参加中の前記携帯電話機に、不参加状態の前記携帯電話機の前記ＰＴＴ通話への途中参加があったことの通知をすることとしてもよい。
【００１７】
これにより、ＰＴＴ通話開始時に、バッテリー切れや、電波の届かないところにいたために、通話に参加できなかった利用者が、後から通話に参加することが可能となり、一時的な通話環境の悪化に伴うＰＴＴ通話不可状態に対し、柔軟に対処することができる。
ここで、構成５及び６において、前記通話開始要求した前記携帯電話機は、前記参加依頼通知を送信するか否かについての選択指示を前記仲介サーバに送信し、前記依頼通知送信手段は、受信した選択指示が前記参加依頼通知を送信することを指示している場合に限り、前記参加依頼通知を送信することとしてもよい。
【００１８】
これにより、ＰＴＴ通話開始時に不参加状態の携帯電話機に対し、仲介サーバに参加依頼通知をさせるか否かを予め選択することができるので、通話参加予定者が電波の届かないところに長時間滞在しているなど、不参加状態からの復旧の見込みのないことが予めわかっているような場合に、不必要な処理負荷を仲介サーバにかけることを回避することができる。
【００１９】
ここで、構成１において、前記変更通知手段は、前記各携帯電話機について、前記参加状態を示す複数の状態画像を記憶している画像記憶手段と、前記参加状態の変更があった場合に、変更があった前記携帯電話機について、変更後の前記参加状態を示す状態画像を前記画像記憶手段から読出し、前記ＰＴＴ通話に参加中の前記各携帯電話機に送信する画像送信手段とを有し、前記各携帯電話機は、前記状態画像を受信した場合に、前記表示部に表示させることとしてもよい。
【００２０】
又、構成２において、前記変更通知手段は、前記各携帯電話機について、参加状態を示す複数の状態画像を記憶している画像記憶手段と、前記参加状態の変更があった場合に、変更があった前記携帯電話機について、変更後の前記参加状態を示す状態画像を前記画像記憶手段から読出し、前記ＰＴＴ通話に参加中の前記携帯電話機に送信する画像送信手段とを有することとしてもよい。
【００２１】
これにより、利用者は、ＰＴＴ通話相手の参加状態に変更があったことを表示部に表示される画像により、簡単に認識することができる。
【発明を実施するための最良の形態】
【００２２】
（実施形態）
以下本発明を実施するための最良の形態について、図面を参照しながら説明する。
＜構成＞
図１は、本実施形態に係わるＰＴＴ通話システム５０の構成を示す機能ブロック図である。ＰＴＴ通話システム５０は、携帯電話機１〜８、ネットワーク１０、基地局１１〜１３、エッジサーバ（以下、「ＥＳ」という。）２１〜２３、ＰＴＴ通話仲介サーバ（以下、「仲介サーバ」という。）４０とから構成される。
【００２３】
ここでは、説明の都合上、ＰＴＴ通話システム５０の各構成要素の数を限定しているが、図１は、ＰＴＴ通話システム５０の構成の一例を示したものであり、各構成要素の数は、図１に示す数に限定されず、それ以上であってもよいし、以下でもよい。
（ネットワーク１０）
インターネット、イントラネットなどで接続されたネットワークである。
（基地局１１〜１３）
所定サイズのエリア毎に設けられ、携帯電話機１〜８と無線接続し、ネットワーク１０に接続させる。
（ＥＳ２１〜２３）
基地局１１〜１３毎に設けられ、携帯電話機１〜８にＩＰアドレスを割当てる。
（仲介サーバ４０）
図２は、仲介サーバ４０の構成を示す機能ブロック図である。仲介サーバ４０は、インターフェース部４１、携帯電話機管理部４２、ユーザ情報記憶部４３、ＰＴＴ電話帳同期管理部４４、ＰＴＴ電話帳記憶部４５、ＰＴＴ仲介処理部４６、音声データ記憶部４７、ＰＴＴ通話情報検索部４８、ＰＴＴ通話情報記憶部４９から構成され、仲介サーバ４０と携帯電話機１〜８との通信はＳＩＰ（Session Initiation Protocol）を用いて行われる。
【００２４】
（インターフェース部４１）
ネットワーク１０に接続されているＰＴＴ通話システム５０の各構成要素との通信を行う。
（携帯電話機管理部４２）
ＰＴＴ通話に参加している携帯電話機の参加状態を管理する。
【００２５】
具体的には、ＰＴＴ仲介処理部４６からの記録指示に基づいて、ＰＴＴ通話に参加要求した携帯電話機のＰＴＴコールＩＤをユーザ情報記憶部４３に記憶させ、その後、ＰＴＴ仲介処理部４６から、各携帯電話機の参加状態の変更が通知される毎に、参加状態が不参加の状態に移行した携帯電話機のＰＴＴコールＩＤをユーザ記憶部４３から削除し、参加状態が不参加の状態から参加中の状態に移行した携帯電話機のＰＴＴコールＩＤをユーザ情報記憶部４３に記憶させる。
【００２６】
ここで、「ＰＴＴコールＩＤ」とは、携帯電話機１〜８の各携帯電話機を識別するために、各携帯電話機に一意的に付加された識別子のことをいう。
（ユーザ情報記憶部４３）
ＰＴＴ通話に参加している携帯電話機のＰＴＴコールＩＤを記憶している。
（ＰＴＴ電話帳同期管理部４４）
ＰＴＴ電話帳記憶部４５に記憶されているＰＴＴ通話グループの電話帳（以下、「グループ電話帳」という。）と当該ＰＴＴ通話グループに属する携帯電話機の記憶しているグループ電話帳とが同一内容となるように管理する。
【００２７】
具体的には、ＰＴＴ通話グループに属する何れかの携帯電話において、グループ電話帳が更新されると、更新後のグループ電話帳が仲介サーバ４０に送信され、ＰＴＴ電話帳同期管理部４４は、送信されたグループ電話帳を、インターフェース部４１を介して受取り、ＰＴＴ電話帳記憶部４５に記憶させ、当該ＰＴＴ通話グループに属する他の携帯電話機にグループ電話帳が更新されたことを通知して、更新後のグループ電話帳をＰＴＴ電話帳記憶部４５からダウンロードさせる。
【００２８】
ここで、「グループ電話帳」とは、ＰＴＴ通話グループを識別するグループ名と、当該ＰＴＴ通話グループに属する各携帯電話機のユーザの愛称を表すコンタクト名と、各携帯電話機のＰＴＴコールＩＤと、各携帯電話機のＰＴＴ通話への参加状態を示す画像（以下、「状態画像」という。）、具体的には、参加状態が（１）ＰＴＴ通話に参加中であるか、（２）当該携帯電話機が基地局と非接続状態で、不参加の状態にあるか、（３）当該携帯電話機からのＰＴＴ通話終了指示により、不参加の状態にあるかを示す各状態画像とを含む情報のことをいう。
【００２９】
（１）の状態画像を「参加中状態画像」、（２）の状態画像を「非接続状態画像」、（３）の状態画像を「通話終了状態画像」という。
図６は、グループ電話帳の具体例を示す。図６の６０１、６０２、６０３、６０４は、それぞれ、グループ電話帳を示す。
図７は、携帯電話機の状態画像の具体例を示す。図７（Ａ）は、参加中状態画像を示し、図７（Ｂ）は、非接続状態画像を示し、図７（Ｃ）は、通話終了状態画像を示す。
【００３０】
（ＰＴＴ電話帳記憶部４５）
グループ電話帳を記憶している。
（ＰＴＴ仲介処理部４６）
以下に示すように、ＰＴＴ通話開始処理、接続状況監視処理、音声データ仲介処理を行う。
１．ＰＴＴ通話開始処理
ＰＴＴ仲介処理部４６は、携帯電話機１〜８の何れかから、ＰＴＴ通話開始要求と、ＰＴＴ通話グループの指定を、インターフェース部４１を介して受取ると、ＰＴＴ電話帳同期管理部４４を介してグループ電話帳を参照し、指定されたＰＴＴ通話グループに属する各携帯電話機のＰＴＴコールＩＤを特定し、携帯電話機管理部４２とＰＴＴ通話情報検索部４８に、特定した各携帯電話機のＰＴＴコールＩＤの通知（以下、「参加候補通知」という。）をし、インターフェース部４１を介して、ＰＴＴ通話の音声データの通信仲介先を示すＵＲＩ（Uniform Resource Identifier）と、ＰＴＴ通話開始要求があったことを示すＩＮＶＩＴＥ情報を特定した携帯電話機（ＰＴＴ通話開始要求した携帯電話機を除く携帯電話機）に送信してＰＴＴ通話への参加を依頼し、携帯電話機管理部４２とＰＴＴ通話情報検索部４８に、参加依頼に応答した携帯電話機のＰＴＴコールＩＤの通知（以下、「参加通知」という。）をし、ＰＴＴ通話の開始処理が完了したことを示すＰＴＴ通話開始処理完了通知とＰＴＴ通話情報検索部４８より取得した各携帯電話機の状態画像とを、接続状況情報として特定した各携帯電話機に送信して、ＰＴＴ通話を開始させる。
【００３１】
ここでは、各携帯電話機に接続状況情報として送信する状態画像は、送信先の携帯電話機の状態画像を除く状態画像とする。後述する２の接続状況監視処理の場合も同様である。
なお、送信先の携帯電話機の状態画像を含めて送信することとしてもよい。
２．接続状況監視処理
ＰＴＴ仲介処理部４６は、ＰＴＴ通話情報検索部４８に問合わせることにより、ＰＴＴ通話に参加中の携帯電話機を特定し、基地局１１〜１３に、特定した携帯電話機について、基地局との無線接続状況を一定時間間隔で問合せ、基地局からの応答結果に基づいて携帯電話機が無線接続中であるか否かを判定し、基地局と非接続である場合には、携帯電話機管理部４２及びＰＴＴ通話情報検索部４８に、その旨及び非接続の携帯電話機のＰＴＴコールＩＤの通知（以下、「非接続通知」という。）をし、通知されたＰＴＴコールＩＤの携帯電話機についての、非接続状態に対応する状態画像をＰＴＴ通話情報検索部４８から取得すると、取得した状態画像を接続状況情報として、ＰＴＴ通話中の携帯電話機にインターフェース部４１を介して送信する。
【００３２】
又、ＰＴＴ通話を意図的に終了した（ユーザ操作によりＰＴＴ通話が終了された）携帯電話機からのＰＴＴ通話終了指示を、インターフェース部４１を介して受取ると、携帯電話機管理部４２及びＰＴＴ通話情報検索部４８に、その旨及び終了した携帯電話機のＰＴＴコールＩＤの通知（以下。「通話終了通知」という。）をし、通知されたＰＴＴコールＩＤの携帯電話機についての、ＰＴＴ通話終了状態に対応する状態画像をＰＴＴ通話情報検索部４８から取得すると、取得した状態画像を接続状況情報として、ＰＴＴ通話中の携帯電話機にインターフェース部４１を介して送信する。
【００３３】
さらに、ＰＴＴ通話を意図的に終了した携帯電話機からＰＴＴ通話再参加要求を受取ると、携帯電話機管理部４２及びＰＴＴ通話情報検索部４８に、その旨及び当該携帯電話機のＰＴＴコールＩＤの通知（以下、「再参加通知」という。）をし、通知されたＰＴＴコールＩＤの携帯電話機についての、ＰＴＴ通話参加状態に対応する状態画像をＰＴＴ通話情報検索部４８から取得すると、取得した状態画像を接続状況情報として、ＰＴＴ通話中の携帯電話機にインターフェース部４１を介して送信する。
【００３４】
又、参加依頼に応答しなかった携帯電話機に対し、所定期間、継続中のＰＴＴ通話のＵＲＩを送信して、継続して当該ＰＴＴ通話への参加依頼を行い、当該ＰＴＴ通話継続中に当該携帯電話機からの途中参加要求を受取ると、携帯電話機管理部４２及びＰＴＴ通話情報検索部４８に、その旨及び当該携帯電話機のＰＴＴコールＩＤの通知（以下、「途中参加通知」という。）をし、通知されたＰＴＴコールＩＤの携帯電話機についての、ＰＴＴ通話参加状態に対応する状態画像をＰＴＴ通話情報検索部４８から取得すると、取得した状態画像を接続状況情報として、ＰＴＴ通話中の携帯電話機にインターフェース部４１を介して送信する。
３．音声データ仲介処理
ＰＴＴ仲介処理部４６は、ＰＴＴ通話中、ＰＴＴ通話に参加している各携帯電話機から送信される音声データを、インターフェース部４１を介して受取り、音声データ記憶部４７に記憶させ、記憶させた音声データをインターフェース部４１を介して当該音声データを送信した携帯電話機以外の、ＰＴＴ通話参加中の携帯電話機に送信する
（音声データ記憶部４７）
ＰＴＴ通話中の各携帯電話機から送信される音声データを記憶している。
【００３５】
（ＰＴＴ通話情報検索部４８）
ＰＴＴ通話における各携帯電話機の参加状態の更新処理と、参加状態の更新時における状態画像の検索処理を行う。
１．参加状態の更新処理
ＰＴＴ通話情報検索部４８は、接続状況監視処理におけるＰＴＴ仲介処理部４６からの各通知に基づいて、ＰＴＴ通話情報記憶部４９に記憶されている参加状態特定テーブルにおいて、該当する携帯電話機のＰＴＴ通話参加状態を更新する。
【００３６】
ここで、「参加状態特定テーブル」とは、ＰＴＴ通話開始処理において、参加候補通知がされた携帯電話機（以下、「参加候補携帯電話機」という。）のＰＴＴコールＩＤと、ＰＴＴ通話に参加中の携帯電話機（以下、「参加中携帯電話機」という。）のＰＴＴコールＩＤと、非接続携帯電話機のＰＴＴコールＩＤと、通話終了携帯電話機のＰＴＴコールＩＤとの対応関係を示すテーブルのことをいう。
【００３７】
ここで、「非接続携帯電話機」とは、ＰＴＴ通話開始処理において、ＰＴＴ通話開始処理において、参加依頼に応答していないか又は、基地局と非接続状態にあって、ＰＴＴ通話に不参加の状態にある携帯電話機のことをいう。
又、「通話終了携帯電話機」とは、ＰＴＴ通話を意図的に終了し、ＰＴＴ通話に不参加の状態にある携帯電話機のことをいう。
【００３８】
図８は、参加状態特定テーブルの具体例を示す。
ＰＴＴ通話情報検索部４８は、ＰＴＴ仲介処理部４６より参加候補通知を受取ると、参加状態特定テーブルの参加候補携帯電話機の欄に参加候補携帯電話機のＰＴＴコールＩＤを記録し、さらに、ＰＴＴ仲介処理部４６より、参加通知を受取ると、参加通知がされた携帯電話機のＰＴＴコールＩＤを参加状態特定テーブルの参加中携帯電話機の欄に記録し、参加通知がされなかった携帯電話機のＰＴＴコールＩＤを参加状態特定テーブルの非接続携帯電話機の欄に記録する（図８（ａ）参照）。
【００３９】
次に、ＰＴＴ仲介処理部４６より、非接続通知を受取ると、非接続通知がされた携帯電話機のＰＴＴコールＩＤを参加状態特定テーブルの参加中携帯電話機の欄から削除し、削除したＰＴＴコールＩＤを非接続携帯電話機の欄に記録し（図８（ｄ）参照）、途中参加通知を受取ると、途中参加通知がされた携帯電話機のＰＴＴコールＩＤを参加状態特定テーブルの非接続携帯電話機の欄から削除し、削除したＰＴＴコールＩＤを参加中携帯電話機の欄に記録する（図８（ｂ）参照）。
【００４０】
又、ＰＴＴ仲介処理部４６より、通話終了通知を受取ると、ＰＴＴ通話を意図的に終了した携帯電話機のＰＴＴコールＩＤを参加状態特定テーブルの参加中携帯電話機の欄から削除し、通話終了携帯電話機の欄に削除したＰＴＴコールＩＤを記録し（図８（ｃ）参照）、再参加通知を受取ると、再参加通知がされた携帯電話機のＰＴＴコールＩＤを参加状態特定テーブルの通話終了携帯電話機の欄から削除し、参加中携帯電話機の欄に削除したＰＴＴコールＩＤを記録する（図８（ｂ）参照）。
２．状態画像検索処理
ＰＴＴ通話情報検索部４８は、接続状況監視処理におけるＰＴＴ仲介処理部４６からの各通知に基づいて更新した参加状態特定テーブルによって特定される各携帯電話機のＰＴＴ通話参加状態を、ＰＴＴ電話帳同期管理部４４に通知し、通知した各携帯電話機について、対応する状態画像を検索させ、検索された各状態画像をＰＴＴ電話帳同期管理部４４から受取り、ＰＴＴ仲介処理部４６に出力する。
【００４１】
（ＰＴＴ通話情報記憶部４９）
参加状態特定テーブルを記憶している。
（携帯電話機１〜８）
携帯電話機１〜８の構成は同一であるので、以下、携帯電話機１を例として説明する。
図４は、携帯電話機１の構成を示す機能ブロック図である。携帯電話機１は、スピーカ部１０１、マイク部１０２、操作部１０３、表示部１０４、アンテナ１０５、通信部１０６、制御部１０７、記憶部１０８から構成される。
【００４２】
（スピーカ部１０１）
制御部１０７から入力された、ＰＴＴ通話相手の携帯電話機からの音声信号を出力する。
（マイク部１０２）
ユーザからの通話音声を受取り、音声信号として制御部１０７に出力する。
【００４３】
（操作部１０３）
ユーザからの各種指示を受取り、制御部１０７に出力する。
（表示部１０４）
仲介サーバ４０から送信された携帯電話機の状態画像を表示する。
（アンテナ１０５）
通話音声データ、接続状況情報、ＰＴＴ通話開始要求、ＰＴＴ通話参加要求などの各種情報を含む通信電波を送受信する。
【００４４】
（通信部１０６）
アンテナ１０５から入力された通信電波を復調処理して制御部１０７に出力し、制御部１０７から入力された各種情報を含む通信データを変調処理して通信電波としてアンテナ１０５に出力する。
（制御部１０７）
マイクロプロセッサとＲＯＭ（Read Only Memory）及びＲＡＭ（Random Access Memory）、などから構成され、ＲＯＭに格納されている制御プログラムに従って携帯電話機１の全体の制御を行う。
【００４５】
制御部１０７は、操作部１０３から入力されるユーザーからの各種指示（ＰＴＴ通和開始要求、ＰＴＴ通話終了指示、ＰＴＴ通話参加応答、ＰＴＴ通話再参加要求、ＰＴＴ通話途中参加要求など）を仲介サーバ４０に送信して、ＰＴＴ通話への参加・不参加を通知し、仲介サーバ４０から接続状況情報を受信する毎に、当該接続状況情報に含まれる、更新された状態画像を表示部１０４に表示させる。
【００４６】
ここで、ＰＴＴ通話開始要求は、制御部１０７が記憶部１０８に記憶されているグループ電話帳からユーザによって選択されたＰＴＴ通話グループ名と、携帯電話機１のＰＴＴコールＩＤとを仲介サーバ４０に送信することにより行われる。図５は、ＰＴＴ通話グループの選択画面の具体例を示す。
又、  ＰＴＴ通話終了指示は、後述する操作部１０３のＰＴＴ通話終了指示釦１０３Ｂがユーザによって押下されることにより、制御部１０７がＰＴＴ通話終了指示を受取り、ＰＴＴ通話終了指示と携帯電話機１のＰＴＴコールＩＤとを仲介サーバ４０に送信することにより行われる。
【００４７】
又、ＰＴＴ通話参加応答、ＰＴＴ通話再参加要求、ＰＴＴ通話途中参加要求は、ユーザからの指示の入力に基づいて、ＵＲＩと携帯電話機１のＰＴＴコールＩＤとを仲介サーバ４０に送信することにより行われる。
（記憶部１０８）
グループ電話帳や仲介サーバ４０から送信された状態画像、ＵＲＩを記憶している。
【００４８】
図３は、携帯電話機１の外観を示す図である。１０１は、スピーカ部を、１０２は、マイク部を、１０３は、操作部を、１０４は、表示部を、１０３Ａは、ＰＴＴ通話釦を、１０３Ｂは、ＰＴＴ通話終了指示釦をそれぞれあらわす。
ＰＴＴ通話釦１０３Ａが押下されることにより、携帯電話機１が位置する基地局１１に対応するＥＳ２１（図１参照）に対してＩＰアドレスの割り当て要求がされる。
＜動作＞
（ＰＴＴ通話制御処理）
次に仲介サーバ４０が行うＰＴＴ通話制御処理の動作について説明する。図９及び図１０は、上記動作を示すフローチャートである。
【００４９】
ＰＴＴ仲介処理部４６は、携帯電話機１〜８の何れかから、通話開始するＰＴＴ通話グループを指定するＰＴＴ通話開始要求を、インターフェース部４１を介して受取ると（ステップＳ９０１）、ＰＴＴ電話帳同期管理部４４を介してグループ電話帳を参照し、指定されたＰＴＴ通話グループに属する各携帯電話機のＰＴＴコールＩＤを特定し、特定した携帯電話機の内、ＰＴＴ通話開始要求をした携帯電話機を除く携帯電話機に対し、当該ＰＴＴ通話に割当てたＵＲＩとＩＮＶＩＴＥ情報を送信し（ステップＳ９０２）、ＩＮＶＩＴＥ情報を送信した各携帯電話機から参加応答があるか否かを監視する（ステップＳ９０３）。
【００５０】
参加応答があった場合（ステップＳ９０３：Ｙ）、ＰＴＴ仲介処理部４６は、ＰＴＴ通話情報検索部４８に参加通知をし、開始処理完了通知とＰＴＴ通話情報検索部４８より取得した、通話開始直前の各携帯電話機の状態画像とを、接続状況情報として、参加応答があった各携帯電話機に送信し（ステップＳ９０４）、ＰＴＴ通話を開始させ（ステップＳ９０５）、ＰＴＴ通話に参加中の各携帯電話機から音声データを送受信する処理を実行し（ステップＳ９０６）、参加中の各携帯電話機が接続している各基地局に対し、当該携帯電話機との無線接続状況を一定間隔で問合せ（ステップＳ９０７）、基地局からの応答結果が「非接続」である場合（ステップＳ９０８：Ｙ）、ＰＴＴ仲介処理部４６は、ＰＴＴ通話情報検索部４８に非接続通知をし、非接続通知に基づいて更新された参加状態特定テーブルの各携帯電話機のＰＴＴ通話参加状態に対応する状態画像をＰＴＴ通話情報検索部４８から取得し、取得した状態画像を更新後の接続状況情報として、ＰＴＴ通話参加中の各携帯電話機にインターフェース部４１を介して送信し（ステップＳ９０９）、ＰＴＴ通話参加中の各携帯電話機から通話終了指示が受信されたかを監視する（ステップＳ９１０）。
【００５１】
受信された場合（ステップＳ９１０：Ｙ）、ＰＴＴ通話情報検索部４８に通話終了通知をし、通話終了通知に基づいて更新された参加状態特定テーブルの各携帯電話機のＰＴＴ通話参加状態に対応する状態画像をＰＴＴ通話情報検索部４８から取得し、取得した状態画像を更新後の接続状況情報として、ＰＴＴ通話参加中の各携帯電話機にインターフェース部４１を介して送信し（ステップＳ９１１）、ＰＴＴ通話を終了した携帯電話機から、ＰＴＴ通話再参加要求が受信されたかを監視する（ステップＳ９１２）。
【００５２】
受信された場合（ステップＳ９１２：Ｙ）、ＰＴＴ仲介処理部４６は、ＰＴＴ通話情報検索部４８に現在のＰＴＴ通話参加状態を問合せ、ＰＴＴ通話参加中の携帯電話機があるか否かにより、ＰＴＴ通話が終了したか否かを判定する（ステップＳ９１３）。
ＰＴＴ通話参加中の携帯電話機があり、ＰＴＴ通話が終了していないと判定された場合には（ステップＳ９１３：Ｙ）、ＰＴＴ通話情報検索部４８に再参加通知をし、再参加通知に基づいて更新された参加状態特定テーブルの各携帯電話機のＰＴＴ通話参加状態に対応する状態画像をＰＴＴ通話情報検索部４８から取得し、取得した状態画像を更新後の接続状況情報として、ＰＴＴ通話参加中の各携帯電話機にインターフェース部４１を介して送信し（ステップＳ９１４）、ステップＳ９０７の処理に移行する。
【００５３】
ステップＳ９１２において、ＰＴＴ通話再参加要求が受信されていない場合（ステップＳ９１２：Ｎ）、ＰＴＴ仲介処理部４６は、ＰＴＴ通話情報検索部４８に現在のＰＴＴ通話参加状態を問合せ、ＰＴＴ通話参加中の携帯電話機があるか否かにより、ＰＴＴ通話が終了したか否かを判定する（ステップＳ９１５）。
ステップＳ９０３において、何れかの携帯電話機からの参加応答がなかった場合（ステップＳ９０３：Ｎ）、ＰＴＴ仲介処理部４６は、当該ＰＴＴ通話に割当てたＵＲＩとＩＮＶＩＴＥ情報を参加応答がなかった携帯電話機に再送信し（ステップＳ９１６）、当該携帯電話機からＰＴＴ通話途中参加要求があったかを監視する（ステップＳ９１７）。
【００５４】
ＰＴＴ通話途中参加要求があった場合（ステップＳ９１７：Ｙ）、ＰＴＴ仲介処理部４６は、ＰＴＴ通話情報検索部４８に現在のＰＴＴ通話参加状態を問合せ、ＰＴＴ通話参加中の携帯電話機があるか否かにより、ＰＴＴ通話が終了したか否かを判定する（ステップＳ９１８）。
ＰＴＴ通話参加中の携帯電話機があり、ＰＴＴ通話が終了していないと判定された場合には（ステップＳ９１８：Ｙ）、ＰＴＴ通話途中参加要求をした携帯電話機に対し、参加許可通知を送信し、ＰＴＴ通話情報検索部４８に途中参加通知をし、途中参加通知に基づいて更新された参加状態特定テーブルの各携帯電話機のＰＴＴ通話参加状態に対応する状態画像をＰＴＴ通話情報検索部４８から取得し、取得した状態画像を更新後の接続状況情報として、ＰＴＴ通話参加中の各携帯電話機にインターフェース部４１を介して送信する（ステップＳ９１９）。
【００５５】
ステップＳ９１７において、途中参加要求がなかった場合（ステップＳ９１７：Ｎ）、ＰＴＴ仲介処理部４６は、最初の再送信をしてから、一定時間経過したか否かを判定し（ステップＳ９２０）、経過していない場合には（ステップＳ９２０：Ｎ）、ステップＳ９１６の処理に移行する。
又、ステップＳ９０８において、基地局からの応答結果が「接続中」である場合（ステップＳ９０８：Ｎ）、ＰＴＴ仲介処理部４６は、ステップＳ９１０の処理に移行し、ステップＳ９１０において、通話終了指示が受信されていない場合（ステップＳ９１０：Ｎ）、ステップＳ９１５の処理に移行し、ステップＳ９１２において、ＰＴＴ通話再参加要求が受信されていない場合（ステップＳ９１２：Ｎ）、ステップＳ９１５の処理に移行する。
（途中参加処理の動作例）
次に、ＰＴＴ通話システム５０の行う途中参加仲介処理（図９のステップＳ９０１〜Ｓ９０５、ステップＳ９１６〜Ｓ９２０の処理に対応）の動作例について、仲介サーバ４０と指定されたＰＴＴ通話グループに属する各携帯電話機（ここでは、説明の便宜上、携帯電話機１〜８のうちの何れか５台とする。）との関係を中心に説明する。
【００５６】
図１１及び図１２は、上記動作例を示すフローチャートである。
ＰＴＴ通話グループに属する携帯電話機の１つ（以下、「開始要求携帯電話機」という。）がＰＴＴ通話グループ名を指定して、ＰＴＴ通話開始要求を行うと（ステップＳ１１）、仲介サーバ４０は、図９のステップＳ９０２の処理に従って、ＩＮＶＩＴＥ情報を指定されたＰＴＴ通話グループに属する携帯電話機の内、開始要求携帯電話機を除く各携帯電話機（以下、それぞれ、「着信側携帯電話機１、２、４」、「開始時非接続携帯電話機３」という。）に送信し（ステップＳ１３）、着信側携帯電話機１、２、４から参加応答があり（ステップＳ１４〜１６）、開始時非接続携帯電話機３からは、参加応答がないと、仲介サーバ４０は、指定されたＰＴＴ通話グループに属する各携帯電話機のＰＴＴ通話参加状態を参加状態特定テーブルに記録し（ステップＳ１７）、図９のステップＳ９０４の処理に従って、開始時非接続携帯電話機３を除く各携帯電話機に、各携帯電話機のＰＴＴ通話参加状態を示す状態画像を接続状況情報として送信する（ステップＳ１８）。
【００５７】
接続状況情報を受信した開始要求携帯電話機、着信側携帯電話機１、２、４は、受信した接続状況情報を表示部１０４に表示させ（ステップＳ１９〜ステップＳ２２）、ＰＴＴ通話を開始する（ステップＳ２３〜ステップＳ２６）。
仲介サーバ４０は、図９のステップＳ９１６、９１７、９２０の処理に従って、参加応答がなかった開始時非接続携帯電話機３に、指定されたＰＴＴ通話に割当てたＵＲＩとＩＮＶＩＴＥ情報を一定時間、繰り返し再送信する（ステップＳ２７）。
【００５８】
開始時非接続携帯電話機３は、ＵＲＩとＩＮＶＩＴＥ情報を受信すると（ステップＳ２８）、ＰＴＴ通話途中参加要求を仲介サーバ４０に送信する（ステップＳ２９）。
仲介サーバ４０は、ＰＴＴ参加要求を受信すると、図９のステップＳ９１８の処理に従って、ＰＴＴ通話状態を確認し（ステップＳ３０）、ＰＴＴ通話が終了していない場合に、開始時非接続携帯電話機３に、参加許可通知をし（ステップＳ３１）、参加状態特定テーブルのＰＴＴ通話参加状態を更新し（ステップＳ３２）、図９のステップＳ９１９の処理に従って、更新後の接続状況情報を指定されたＰＴＴ通話グループに属する各携帯電話機に送信する（ステップＳ３３）。
【００５９】
各携帯電話機は、受信した接続状況情報を表示部１０４に表示させる（ステップＳ３４〜ステップＳ３８）。
（通話途中終了及び通話再開処理の動作例）
次に、ＰＴＴ通話システム５０の行う通話途中終了及び通話再開処理（図１０のステップＳ９１０〜ステップＳ９１４の処理に対応）の動作例について、途中参加処理の動作例の場合と同様に、仲介サーバ４０と携帯電話機（ここでは、説明の便宜上、携帯電話機１〜８のうちの何れか５台とする。）との関係を中心に説明する。
【００６０】
図１３及び図１４は、上記動作例を示すフローチャートである。
図１３では、ＰＴＴ通話グループの指定を行い、ＰＴＴ通話を開始させた携帯電話機を開始要求携帯電話機、当該ＰＴＴ通話に参加中の各携帯電話機を着信側携帯電話機１〜４としている。
ＰＴＴ通話状態（ステップＳ４１〜ステップＳ４５）の各携帯電話機のうち、着信側携帯電話機４が、ＰＴＴ通話終了指示を仲介サーバ４０にＰＴＴ通話終了指示を送信する（ステップＳ４６）。
【００６１】
仲介サーバ４０は、ＰＴＴ通話終了指示を受信し（ステップＳ４７）、参加状態特定テーブルのＰＴＴ通話参加状態を更新し（ステップＳ４９）、図９のステップＳ９１１の処理に従って、更新後の接続状況情報を、着信側携帯電話機４を除く各携帯電話機に送信する（ステップＳ５０）。
開始要求携帯電話機、着信側携帯電話機１〜３は、受信した更新後の接続状況情報を表示部１０４に表示させる（ステップＳ５１〜ステップＳ５４）。
【００６２】
その後、着信側携帯電話機４は、ＰＴＴ通話再参加要求を仲介サーバ４０に送信する（ステップＳ５５）。
仲介サーバ４０は、ＰＴＴ参加要求を受信すると、図９のステップＳ９１３の処理に従って、ＰＴＴ通話状態を確認し（ステップＳ５６）、ＰＴＴ通話が終了していない場合に、着信側携帯電話機４に、参加許可通知をし（ステップＳ５７）、参加状態特定テーブルのＰＴＴ通話参加状態を更新し（ステップＳ５８）、図９のステップＳ９１４の処理に従って、更新後の接続状況情報を指定されたＰＴＴ通話グループに属する各携帯電話機に送信する（ステップＳ５９）。
【００６３】
開始要求携帯電話機、着信側携帯電話機１〜４は、受信した更新後の接続状況情報を表示部１０４に表示し（ステップＳ６０〜ステップＳ６４）、着信側携帯電話機４は、ＰＴＴ通話を再開する（ステップＳ６５）。
（無線接続管理処理の動作例）
次に、ＰＴＴ通話システム５０の行う無線接続管理処理（図９のステップＳ９０７〜ステップＳ９０９の処理に対応）の動作例について途中参加処理の動作例の場合と同様に、仲介サーバ４０と携帯電話機（ここでは、説明の便宜上、携帯電話機１〜８のうちの何れか５台とする。）との関係を中心に説明する。図１６は、上記動作例を示すフローチャートである。
【００６４】
図１６では、ＰＴＴ通話グループの指定を行い、ＰＴＴ通話を開始させた携帯電話機を開始要求携帯電話機、当該ＰＴＴ通話に参加中の各携帯電話機を着信側携帯電話機１〜４としている。
仲介サーバ４０は、上記各携帯電話機が通話を開始すると（ステップＳ７１〜ステップＳ７５）、図９のステップＳ９０７に従って、基地局に各携帯電話機の接続状況を一定時間間隔で確認し（ステップＳ７６）、着信側携帯電話機１が基地局と非接続状態になると（ステップＳ７７）、そのことを確認結果に基づいて検知し、参加状態特定テーブルのＰＴＴ参加状態を更新し（ステップＳ７８）、図１０のステップ９０９の処理に従って、更新後の接続状況情報を、着信側携帯電話機１を除く各携帯電話機に送信する（ステップＳ７９）。
【００６５】
開始要求携帯電話機、着信側携帯電話機２〜４は、受信した更新後の接続状況情報を表示部１０４に表示させる（ステップＳ８０〜ステップＳ８３）。
図１５は、ＰＴＴ通話に参加中の各携帯電話機の表示部１０４に表示される状態画像の具体例を示す。
図１５（ａ）は、図１１のステップＳ１９において、開始要求携帯電話機の表示部１０４に表示される状態画像の具体例である。１３０１は、着信側携帯電話機１の状態画像を、１３０２は、着信側携帯電話機２の状態画像を、１３０３は、開始時非接続携帯電話機３の状態画像を、１３０４は、着信側携帯電話機４の状態画像を示す。
【００６６】
図１５（ｂ）は、図１２のステップＳ３４において、開始要求携帯電話機の表示部１０４に表示される状態画像の具体例である。１３０５は、ＰＴＴ通話に途中参加した開始時非接続携帯電話機３の状態画像を示す。
図１５（ｃ）は、図１３のステップＳ５１において、開始要求携帯電話機の表示部１０４に表示される状態画像の具体例である。１３０６は、ＰＴＴ通話途中でＰＴＴ通終了指示をした着信側携帯電話機４の状態画像を示す。
【００６７】
図１５（ｄ）は、図１６のステップＳ８０において、開始要求携帯電話機の表示部１０４に表示される状態画像の具体例である。１３０７は、ＰＴＴ通話途中で、非接続状態になった着信側携帯電話機１の状態画像を示す。
＜補足＞
以上、本発明の実施形態について説明したが、本発明はこれら実施形態に限られないことは勿論である。
（１）例えば、本実施形態においては、ＰＴＴ通話開始前に、仲介サーバ４０から送信したＩＮＶＩＴＥ情報に対し、参加応答のなかった携帯電話機に対し、一定時間、繰り返しＵＲＩとＩＮＶＩＴＥ情報を再送信することとしたが、再送信する代わりに、ＵＲＩとＩＮＶＩＴＥ情報を当該携帯電話機宛に、メール送信することとしてもよい。
【００６８】
又、上記再送信又はメール送信を行うか否かを携帯電話機側で選択することとし、仲介サーバ４０は、携帯電話機から、ＰＴＴ通話開始要求時に、上記再送信又はメール送信を行う旨の指示が送信された場合にのみ、上記再送信又はメール送信を行うこととしてもよい。
（２）又、本実施形態においては、各携帯電話機のＰＴＴ通話参加状態が変更された場合に、その旨を示す状態画像を仲介サーバ４０がＰＴＴ通話参加中の各携帯電話機に送信し、表示させることとしたが、状態画像を送信する代わりに、各携帯電話機のＰＴＴ通話参加状態を示す情報（例えば、文字情報）をＰＴＴ通話参加中の各携帯電話機に送信し、表示させることとしてもよい。
【００６９】
又、携帯電話機側で、上記情報に基づいて、通話状態が変更された携帯電話機を特定し、その状態画像を点滅させたり、反転表示させたりすることにより、通話状態が変更された状態画像を表示させることとしてもよい。
又、上記情報に基づいて、携帯電話機側が記憶部１０８に記憶されているグループ電話帳から対応する状態画像を読み出して表示部１０４に表示させることとしてもよい。
（３）又、本実施形態においては、各携帯電話機のＰＴＴ通話参加状態が変更された場合に、変更された携帯電話機の状態画像だけでなく、それ以外の携帯電話機のＰＴＴ通話参加状態を示す状態画像についても、仲介サーバ４０がＰＴＴ通話参加中の各携帯電話機に送信することとしたが、変更された状態画像のみを送信することとしてもよい。
（４）又、本実施の形態においては、ＰＴＴ通話が終了したか否かをＰＴＴ通話参加中の携帯電話機があるか否かにより判定することとしたが、他の方法により判定することとしてもよい。例えば、ＰＴＴ通話開始要求をした携帯電話機からのＰＴＴ通話終了指示があった場合に、ＰＴＴ通話が終了したと判定することとしてもよい。
【産業上の利用可能性】
【００７０】
本発明は、プッシュトゥトーク（ＰＴＴ）通話システムにおいて、ＰＴＴ通話時における、通話相手の表示を制御する技術として利用できる。
【図面の簡単な説明】
【００７１】
【図１】ＰＴＴ通話システム５０の構成を示す機能ブロック図である。
【図２】仲介サーバ４０の構成を示す機能ブロック図である。
【図３】携帯電話機１の外観を示す図である。
【図４】携帯電話機１の構成を示す機能ブロック図である。
【図５】ＰＴＴ通話グループの選択画面の具体例を示す。
【図６】グループ電話帳の具体例を示す。
【図７】携帯電話機の状態画像の具体例を示す。
【図８】参加状態特定テーブルの具体例を示す。
【図９】仲介サーバ４０が行うＰＴＴ通話制御処理の動作を示すフローチャートの一部である。
【図１０】仲介サーバ４０が行うＰＴＴ通話制御処理の動作を示すフローチャートの一部である。
【図１１】ＰＴＴ通話システム５０の行う途中参加仲介処理の動作例を示すフローチャートの一部である。
【図１２】ＰＴＴ通話システム５０の行う途中参加仲介処理の動作例を示すフローチャートの一部である。
【図１３】ＰＴＴ通話システム５０の行う通話途中終了及び通話再開処理の動作例を示すフローチャートの一部である。
【図１４】ＰＴＴ通話システム５０の行う通話途中終了及び通話再開処理の動作例を示すフローチャートの一部である。
【図１５】ＰＴＴ通話に参加中の各携帯電話機の表示部１０４に表示される状態画像の具体例を示す。
【図１６】ＰＴＴ通話システム５０の行う無線接続管理処理の動作例を示すフローチャートである。
【符号の説明】
【００７２】
１〜８  携帯電話機
１１〜１３  基地局
２１〜２３  エッジサーバ
４０  仲介サーバ
４１  インターフェース部
４２  携帯電話機管理部
４３  ユーザ情報記憶部
４４  ＰＴＴ電話帳同期管理部
４５  ＰＴＴ電話帳記憶部
４６  ＰＴＴ仲介処理部
４７  音声データ記憶部
４８  ＰＴＴ通話情報検索部
４９  ＰＴＴ通話情報記憶部
５０  ＰＴＴ通話システム
１０１  スピーカ部
１０２  マイク部
１０３  操作部
１０４  表示部
１０５  アンテナ
１０６  通信部
１０７  制御部
１０８  記憶部
【図１】
2006222876.tif 000003
【図２】
2006222876.tif 000004
【図３】
2006222876.tif 000005
【図４】
2006222876.tif 000006
【図５】
2006222876.tif 000007
【図６】
2006222876.tif 000008
【図７】
2006222876.tif 000009
【図８】
2006222876.tif 000010
【図９】
2006222876.tif 000011
【図１０】
2006222876.tif 000012
【図１１】
2006222876.tif 000013
【図１２】
2006222876.tif 000014
【図１３】
2006222876.tif 000015
【図１４】
2006222876.tif 000016
【図１５】
2006222876.tif 000017
【図１６】
2006222876.tif 000018